【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
対象装置のプロファイルを取得するプロファイル情報取得装置において、
前記プロファイルの取得に先だって事前情報を前記対象装置から受信する事前情報受信手段と、
前記受信した事前情報に応じて前記プロファイルの取得のための手法を選択するプロファイル取得手法選択手段と、
前記プロファイル取得手法選択手段により選択された手法で前記対象装置のプロファイルを取得するプロファイル情報取得手段と、
を有することを特徴とするプロファイル取得装置。
【請求項２】
前記事前情報受信手段は、前記プロファイルの情報量を含む前記事前情報を受信し、前記プロファイル取得手法選択手段は、前記事前情報に含まれる前記プロファイルの情報量に応じて、前記プロファイルの取得のための手法を選択することを特徴とする請求項１に記載のプロファイル取得装置。
【請求項３】
前記プロファイル取得手法選択手段は、前記受信した事前情報に応じて、前記プロファイル取得のための手法として、前記対象装置が有する階層的に構成されたプロファイルから、階層をたどって、必要な情報を取得する手法を選択することを特徴とする請求項１に記載のプロファイル取得装置。
【請求項４】
対象装置のプロファイルを取得するプロファイル情報取得方法において、
事前情報受信手段が、前記プロファイルの取得に先だって事前情報を前記対象装置から受信する事前情報受信ステップと、
プロファイル取得手法選択手段が、前記受信した事前情報に応じて前記プロファイルの取得のための手法を選択するプロファイル取得手法選択ステップと、
プロファイル情報取得手段が、前記プロファイル取得手法選択ステップで選択された手法で前記対象装置のプロファイルを取得するプロファイル情報取得ステップと、
を有することを特徴とするプロファイル取得方法。
【請求項５】
前記事前情報受信ステップは、前記プロファイルの情報量を含む前記事前情報を受信し、前記プロファイル取得手法選択ステップは、前記事前情報に含まれる前記プロファイルの情報量に応じて、前記プロファイルの取得のための手法を選択することを特徴とする請求項４に記載のプロファイル取得方法。
【請求項６】
前記プロファイル取得手法選択ステップは、前記受信した事前情報に応じて、前記プロファイル取得のための手法として、前記対象装置が有する階層的に構成されたプロファイルから、階層をたどって、必要な情報を取得する手法を選択することを特徴とする請求項４に記載のプロファイル取得方法。
【請求項７】
対象装置のプロファイルを取得するために、コンピュータに、
前記プロファイルの取得に先だって事前情報を前記対象装置から受信する事前情報受信手順と、
前記受信した事前情報に応じて前記プロファイルの取得のための手法を選択するプロファイル取得手法選択手順と、
前記プロファイル取得手法選択手順で選択された手法で前記対象装置のプロファイルを取得するプロファイル情報取得手順と、
を実行させることを特徴とするプログラム。
【請求項８】
通信先のプロファイルの情報量に応じて、前記通信先のプロファイルを取得するための手法を決定する決定手段と、
前記決定手段において決定された手法で前記通信先からプロファイルを取得する取得手段と、
を有することを特徴とするプロファイル取得装置。
【請求項９】
前記決定手段は、前記通信先のプロファイルの情報量に応じて、前記通信先のプロファイルを取得するための手法として、前記通信先が有する階層的に構成されたプロファイルから、階層をたどって、必要な情報を取得する手法を決定することを特徴とする請求項８に記載のプロファイル取得装置。
【請求項１０】
決定手段が、通信先のプロファイルの情報量に応じて、前記通信先のプロファイルを取得するための手法を決定し、
取得手段が、前記決定された手法で前記通信先からプロファイルを取得することを特徴とするプロファイル取得方法。
【請求項１１】
前記決定ステップは、前記通信先のプロファイルの情報量に応じて、前記通信先のプロファイルを取得するための手法として、前記通信先が有する階層的に構成されたプロファイルから、階層をたどって、必要な情報を取得する手法を決定することを特徴とする請求項１０に記載のプロファイル取得方法。
【請求項１２】
コンピュータに、
通信先のプロファイルの情報量に応じて、前記通信先のプロファイルを取得するための手法を決定する決定手順と、
前記決定された手法で前記通信先からプロファイルを取得する取得手順とを実行させることを特徴とするプログラム。
【手続補正２】
【補正対象書類名】明細書
【補正対象項目名】発明の名称
【補正方法】変更
【補正の内容】
【発明の名称】プロファイル取得方法、装置、および、プログラム
【手続補正３】
【補正対象書類名】明細書
【補正対象項目名】０００１
【補正方法】変更
【補正の内容】
【０００１】
本発明は、プロファイル取得方法、装置、および、プログラムに関する。
【手続補正４】
【補正対象書類名】明細書
【補正対象項目名】００１０
【補正方法】変更
【補正の内容】
【００１０】
本発明は、このような問題点に鑑みてなされたものであって、対象装置に適したプロファイル交換手法を選択可能とすることにある。
【手続補正５】
【補正対象書類名】明細書
【補正対象項目名】００１１
【補正方法】変更
【補正の内容】
【００１１】
また、プロファイルを階層化された多段構造で表現することにより、階層をたどりながら必要な情報を取得することを可能とすることにある。
【手続補正６】
【補正対象書類名】明細書
【補正対象項目名】００１２
【補正方法】変更
【補正の内容】
【００１２】
上記目的を達成するため、請求項１に記載の発明に係るプロファイル取得装置は、対象装置のプロファイルを取得するプロファイル情報取得装置において、前記プロファイルの取得に先だって事前情報を前記対象装置から受信する事前情報受信手段と、前記受信した事前情報に応じて前記プロファイルの取得のための手法を選択するプロファイル取得手法選択手段と、前記プロファイル取得手法選択手段により選択された手法で前記対象装置のプロファイルを取得するプロファイル情報取得手段と、を有することを特徴とする。
【手続補正７】
【補正対象書類名】明細書
【補正対象項目名】００１３
【補正方法】変更
【補正の内容】
【００１３】
この請求項１に記載の発明によれば、対象装置から受信した事前情報に応じて適したプロファイル交換手法を選択することが可能となる。
【手続補正８】
【補正対象書類名】明細書
【補正対象項目名】００１４
【補正方法】変更
【補正の内容】
【００１４】
また、請求項３に記載の発明に係るプロファイル取得装置は、請求項１に記載のプロファイル取得装置において、前記プロファイル取得手法選択手段は、前記受信した事前情報に応じて、前記プロファイル取得のための手法として、前記対象装置が有する階層的に構成されたプロファイルから、階層をたどって、必要な情報を取得する手法を選択することを特徴とする。
【手続補正９】
【補正対象書類名】明細書
【補正対象項目名】００１５
【補正方法】変更
【補正の内容】
【００１５】
この請求項３に記載の発明によれば、階層をたどりながら、必要な情報を取得することが可能となる。
【手続補正１０】
【補正対象書類名】明細書
【補正対象項目名】００１６
【補正方法】変更
【補正の内容】
【００１６】
請求項４に記載の発明に係るプロファイル取得方法は、対象装置のプロファイルを取得するプロファイル情報取得方法において、事前情報受信手段が、前記プロファイルの取得に先だって事前情報を前記対象装置から受信する事前情報受信ステップと、プロファイル取得手法選択手段が、前記受信した事前情報に応じて前記プロファイルの取得のための手法を選択するプロファイル取得手法選択ステップと、プロファイル情報取得手段が、前記プロファイル取得手法選択ステップで選択された手法で前記対象装置のプロファイルを取得するプロファイル情報取得ステップと、を有することを特徴とする。
【手続補正１１】
【補正対象書類名】明細書
【補正対象項目名】００１７
【補正方法】変更
【補正の内容】
【００１７】
この請求項４に記載の発明によれば、対象装置から受信した事前情報に応じて適したプロファイル交換手法を選択することが可能となる。
【手続補正１２】
【補正対象書類名】明細書
【補正対象項目名】００１８
【補正方法】変更
【補正の内容】
【００１８】
また、請求項８に記載の発明に係るプロファイル取得装置は、通信先のプロファイルの情報量に応じて、前記通信先のプロファイルを取得するための手法を決定する決定手段と、前記決定手段において決定された手法で前記通信先からプロファイルを取得する取得手段と、を有することを特徴とする。
【手続補正１３】
【補正対象書類名】明細書
【補正対象項目名】００１９
【補正方法】変更
【補正の内容】
【００１９】
また、請求項１０に記載の発明に係るプロファイル取得方法は、決定手段が、通信先のプロファイルの情報量に応じて、前記通信先のプロファイルを取得するための手法を決定し、取得手段が、前記決定された手法で前記通信先からプロファイルを取得することを特徴とする。
【手続補正１４】
【補正対象書類名】明細書
【補正対象項目名】００２０
【補正方法】変更
【補正の内容】
【００２０】
この請求項８、１０に記載の発明によれば、通信先のプロファイルの情報量に応じて適した手法でプロファイルを取得することが可能となる。
【手続補正１５】
【補正対象書類名】明細書
【補正対象項目名】００２１
【補正方法】変更
【補正の内容】
【００２１】
以上説明したように、本発明によれば、対象装置から受信した事前情報に応じて適した情報量のプロファイルを取得することが可能となる。
【手続補正１６】
【補正対象書類名】明細書
【補正対象項目名】００２２
【補正方法】変更
【補正の内容】
【００２２】
また、通信先のプロファイルの情報量に応じて適した手法でプロファイルを取得することが可能となる。
【手続補正１７】
【補正対象書類名】明細書
【補正対象項目名】００２３
【補正方法】変更
【補正の内容】
【００２３】
また、階層をたどりながら、必要な情報を取得することが可能となる。
【手続補正１８】
【補正対象書類名】明細書
【補正対象項目名】００２５
【補正方法】変更
【補正の内容】
【００２５】
図１は、本発明の実施形態におけるシステム全体の構成図である。図１に示すように、ネットワーク１０５にデジタルカメラ１００、デジタルビデオカメラ１０１、プリンタ１０２、スキャナ１０３、プロジェクタ１０４が接続されている。本実施形態では上記のデバイス（機器、あるいは、通信装置）を挙げているが限定されるものではない。
【手続補正１９】
【補正対象書類名】明細書
【補正対象項目名】００２８
【補正方法】変更
【補正の内容】
【００２８】
図２の４０１は、コンピュータシステムの制御をつかさどる中央演算装置（以下ＣＰＵと記す）である。ＣＰＵ４０１は、プログラムにしたがって動作するコンピュータであり、後述の判断、制御などを行う。４０２は、ランダムアクセスメモリ（以下ＲＡＭと記す）であり、ＣＰＵ４０１の主メモリとして、及び実行プログラムの領域や該プログラムの実行エリアならびにデータエリアとして機能する。
【手続補正２０】
【補正対象書類名】明細書
【補正対象項目名】００３０
【補正方法】変更
【補正の内容】
【００３０】
４０４は、ネットワークインターフェース（以下ＮＥＴＩＦと記す）であり、ネットワーク１０５を介してコンピュータシステム間のデータ転送を行うための制御や接続状況の診断を行う。図１示の各デバイスは、ＮＥＴＩＦ４０４を介して、他のデバイスとの通信を行う。
【手続補正２１】
【補正対象書類名】明細書
【補正対象項目名】００６５
【補正方法】変更
【補正の内容】
【００６５】
図５に記載の実施例においては、機器制御装置（通信装置）Ａ３００が、機器制御装置（通信装置）Ｂ３０１とプロファイル交換を行う場合は、プロファイル全情報３０３を、プロファイル交換手法Ｂ３０５を用いて交換し、機器制御装置Ｃ３０２とプロファイル交換を行う場合は、プロファイルが公開されているＵＲＬ３０４だけをプロファイル交換手法Ｃ３０６を用いてプロファイル交換を実施している。機器制御装置（通信装置）Ａ３００、Ｂ３０１、Ｃ３０２は、例えば、図１に示すような、デジタルカメラ１００、デジタルビデオカメラ１０１、プリンタ１０２、スキャナ１０３、プロジェクタ１０４などのデバイス（機器）である。
【手続補正２２】
【補正対象書類名】図面
【補正対象項目名】図５
【補正方法】変更
【補正の内容】
【図５】
2006134236.tif 000001